(57)【要約】【課題】排水支流の排水マスへの接続に位置的自由度が大きく、且つ排水支流から排水マスへの流入をスムーズに行うことができ、また排水枝管を排水マスに接続するのに狭い間隙スペースでの接続が可能となる排水マスの提供を課題とする。【解決手段】インバート部１１を構成したマス本体１０の側部に、一対の本管接続部を突出して設け、またマス本体１０の側部に枝管接続部３０を設け、マス本体の上部に点検筒受筒部４０を設けてなる排水マスであって、枝管接続部３０は、マス本体１０の側部に構成した嵌合用環状雌部３１と、該嵌合用環状雌部３１に対して基端開口部３２ｃ外周に形成した嵌合用環状雄部３２ｄで直接的に且つ回動自在に嵌合されるエルボ状管３２とからなり、該エルボ状管３２は先端開口部３２ａから湾曲部３２ｂを経てその曲率半径を増大させるように滑らかに拡管しながら基端開口部３２ｃに至る構成とした。【選択図】      図７
2007186847.tif 000002
【特許請求の範囲】
【請求項１】
インバート部を構成したマス本体の側部に、上流側及び下流側の排水本管を前記インバート部の両端に接続するための一対の本管接続部を突出して設け、また前記マス本体の側部に排水枝管を前記インバート部の途中に接続するための枝管接続部を設け、更に前記マス本体の上部には点検筒を受け入れための点検筒受筒部を上向きに突出して設けてなる排水マスであって、
前記枝管接続部は、前記マス本体の側部に構成した嵌合用環状雌部と、該嵌合用環状雌部に対して基端開口部外周に形成した嵌合用環状雄部で直接的に且つ回動自在に嵌合されるエルボ状管とからなり、且つ該エルボ状管は先端開口部から湾曲部を経てその曲率半径を増大させるように滑らかに拡管しながら前記基端開口部に至る構成としたことを特徴とする排水マス。
【請求項２】
枝管接続部の嵌合用環状雌部は、該嵌合用環状雌部の環状壁の上辺部分を、点検筒受筒部を利用して該点検筒受筒部の下側部を内側へ凹ませてなる内向き段部として構成すると共に、嵌合用環状雌部の残りの環状壁を、前記点検筒受筒部の径を超えない突出寸法でマス本体から突出させて構成したことを特徴とする請求項１に記載の排水マス。
【請求項３】
一対の本管接続部はその中心軸を共通にすると共に、点検筒受筒部の中心軸が鉛直状態にあるときに、前記本管接続部の中心軸と枝管接続部の嵌合用環状雌部の中心軸がそれぞれ水平状態となり、且つ本管接続部の中心軸と点検筒受筒の中心軸とを含む平面と、嵌合用環状雌部の中心軸と点検筒受筒部の中心軸とを含む平面とが直角状態となるように構成して、マス本体に一対の本管接続部と、点検筒受筒部と、枝管接続部とを設けたことを特徴とする請求項１又は２に記載の排水マス。
【発明の詳細な説明】
【技術分野】
【０００１】
本発明は排水マスに関する。より詳細には、屋内等で生じた排水支流を、屋外等に流れる排水本流に合流させるのに用いることができる排水マスに関する。
【背景技術】
【０００２】
従来、屋内等で生じた排水支流を屋外等に配管された排水本流に合流させるのに排水マスが用いられる。該排水マスには、前記排水本流が流れる排水本管を接続するための一対の本管接続部と、前記排水支流が流れる排水枝管を接続するための枝管接続部とが備えられる。
従来、前記枝管接続部を備えた排水マスにおいて、枝管接続部が回動自在に構成され、これによって排水枝管との接続位置の自由度を大きくしたものが提供されている（特許文献１、２）。
また前記枝管接続部を備えた排水マスにおいて、枝管接続部を、排水本流方向に対して直角方向ではなく、斜め方向に突出して構成することで、接続用間隙の狭いところでも排水枝管の接続ができるようにした排水マスが提供されている（特許文献３）。
【特許文献１】実開平３−９３８９０号公報
【特許文献２】実開平６−１８７９１号公報
【特許文献３】特開平６−１２９００１号公報
【発明の開示】
【発明が解決しようとする課題】
【０００３】
ところが上記特許文献１、２の排水マスでは、何れも排水本流の流れ方向に対して直角方向に突出する枝管接続部の突出量（文献１の技管１５や文献２のソケット部１３の突出量）が大きく、このために排水支流を排水マスに接続するために必要な接続用間隙が大きくなり、狭い間隙スペースでのコンパクトな接続ができないという問題があった。
また上記特許文献１、２の排水マスでは、文献１のエルボ体１６や文献２のベント管１５の屈曲が大きく、且つ管径が一定であるため、排水支流から排水マスへの流入が非常に窮屈な状態で急激に行われることとなり、結果として排水マス内へのスムーズな流入が確保し難いという問題や排水枝管から排水マスに入った排水が排水本流上流側へ逆流しやすくなる問題があった。
一方、上記特許文献３の排水マスの場合は、排水支流の排水マスへの接続に必要な接続用間隙が少なくてすむ利点はあるものの、斜めに構成された枝管接続部の存在によって排水マスに左右の区別ができ、左右兼用排水マスとして使用することができない問題があった。このことは、左右の別を取り違えて排水マスを用意すると、配管接続施工ができず、また左右２種類の排水マスを製造、在庫しておかなければならないという問題を含んでいた。
【０００４】
そこで本発明は上記従来技術の問題を解決し、排水支流の排水マスへの接続に位置的自由度が大きく、且つ排水支流から排水マスへの流入をスムーズに行うことができ、また排水枝管を排水マスに接続するのに狭い間隙スペースでの接続が可能となる排水マスの提供を課題とする。
【課題を解決するための手段】
【０００５】
上記課題を達成するための本発明の排水マスは、インバート部を構成したマス本体の側部に、上流側及び下流側の排水本管を前記インバート部の両端に接続するための一対の本管接続部を突出して設け、また前記マス本体の側部に排水枝管を前記インバート部の途中に接続するための枝管接続部を設け、更に前記マス本体の上部には点検筒を受け入れための点検筒受筒部を上向きに突出して設けてなる排水マスであって、前記枝管接続部は、前記マス本体の側部に構成した嵌合用環状雌部と、該嵌合用環状雌部に対して基端開口部外周に形成した嵌合用環状雄部で直接的に且つ回動自在に嵌合されるエルボ状管とからなり、且つ該エルボ状管は先端開口部から湾曲部を経てその曲率半径を増大させるように滑らかに拡管しながら前記基端開口部に至る構成としたことを第１の特徴としている。
また本発明の排水マスは、上記第１の特徴に加えて、枝管接続部の嵌合用環状雌部は、該嵌合用環状雌部の環状壁の上辺部分を、点検筒受筒部を利用して該点検筒受筒部の下側部を内側へ凹ませてなる内向き段部として構成すると共に、嵌合用環状雌部の残りの環状壁を、前記点検筒受筒部の径を超えない突出寸法でマス本体から突出させて構成したことを第２の特徴としている。
また本発明の排水マスは、上記第１又は第２の特徴に加えて、一対の本管接続部はその中心軸を共通にすると共に、点検筒受筒部の中心軸が鉛直状態にあるときに、前記本管接続部の中心軸と枝管接続部の嵌合用環状雌部の中心軸がそれぞれ水平状態となり、且つ本管接続部の中心軸と点検筒受筒の中心軸とを含む平面と、嵌合用環状雌部の中心軸と点検筒受筒部の中心軸とを含む平面とが直角状態となるように構成して、マス本体に一対の本管接続部と、点検筒受筒部と、枝管接続部とを設けたことを第３の特徴としている。
【発明の効果】
【０００６】
請求項１に記載の排水マスによれば、排水マスの枝管接続部は、マス本体の側部に構成した嵌合用環状雌部にエルボ状管を回動自在に嵌合しているので、エルボ状管の回動の各位置で排水枝管との接続が可能であり、排水枝管の排水マスへの接続の位置的自由度を大きくすることができる。
またマス本体の側部に構成した嵌合用環状雌部にエルボ状管を直接的に嵌合して構成しているので、余分な介在接続部材をなくすことができ、マス本体から突出する枝管接続部の突出量を少なくすることが可能となる。
特に請求項１に記載の排水マスによれば、枝管接続部を構成するエルボ状管は、その先端開口部から湾曲部を経てその曲率半径を増大するように滑らかに拡管して基端開口部に至るようになされているので、排水枝管からエルボ管に入った排水は、その流れをマス本体に向けて湾曲させられながらも、次第にその湾曲程度が減じされることとなり、急激な流れ方向の変更に伴う乱流の発生を予防することができる。しかもエルボ管は基端開口部に向けて次第に拡管されているので、排水の流れを、湾曲部で詰まらせるようなことなく管内面に沿ってスムーズに流してマス本体内のインバート部に流れ込ませることができる。
【０００７】
請求項２に記載の排水マスによれば、上記請求項１に記載の構成による効果に加えて、排水マスの枝管接続部を構成する嵌合用環状雌部は、その環状壁の上辺部分を、点検筒受筒部を利用した内向き段部で構成するようにしており、環状壁の残りも、前記点検筒受筒部よりも側方に出ないようにして構成しているので、エルボ状管も含めた枝管接続部の側方への突出寸法を少なく抑えることができる。よって排水枝管を排水マスに接続するのに必要な接続用間隙が、狭い間隙スペースで可能となる。
【０００８】
請求項３に記載の排水マスによれば、上記請求項１又は２に記載の構成による効果に加えて、マス本体に設けられる一対の本管接続部の中心軸が共通とされると共に、該本管接続部の中心軸と点検筒受筒の中心軸とを含む平面と、嵌合用環状雌部の中心軸と点検筒受筒部の中心軸とを含む平面とが直角となるため、点検筒受筒部の中心軸を中心として、１８０度回転させることで、前記嵌合用環状雌部の位置を本管接続部の中心軸に対して左右対称の状態にすることができる。従ってこのような排水マスを用いれば、排水本管の左右の何れの側においても、兼用して排水枝管を接続することができる。
【発明を実施するための最良の形態】
【０００９】
以下の図面を参照して、本発明の実施形態に係る排水マスについて説明する。
図１は本発明の実施形態に係る排水マスの使用状態を示す斜視図、図２は本実施形態に係る排水マスの斜視図、図３は本実施形態に係る排水マスの正面図、図４は本実施形態に係る排水マスの左側面図、図５は本実施形態に係る排水マスの平面図、図６はエルボ状管を水平方向に回動させた状態での排水マスの平面図、図７は図３のＡ−Ａ断面図、図８は図３のＢ−Ｂ断面図、図９は変形例を示す排水マスの正面図である。
【００１０】
図１を参照して、排水マス１に対して、上部に点検筒２が取り付けられている。また排水マス１に対して、上流側の排水本管３、下流側の排水本管４がそれぞれ接続されている。更に排水マス１に対して排水枝管５が接続されている。
前記排水本管３、４には排水本流が流れる。また前記排水枝管５には屋内等で生じた排水支流が流れ、該排水支流は屋外等に施設された排水マス１内で排水本流に合流される。
【００１１】
前記排水マス１は、図２〜図８を参照して、マス本体１０と、該マス本体１０の側部に設けられる一対の本管接続部２０、２０と、同じくマス本体１０の側部に設けられる枝管接続部３０と、マス本体１０の上部に設けられる点検筒受筒部４０とからなる。
今、排水マス１を地面に対して鉛直方向に点検筒受筒部４０が立設するように配置した場合、前記本管接続部２０、２０は地面に水平に配置され、また前記枝管接続部３０はその基端がマス本体１０側部にあって地面に水平に開口する。
【００１２】
前記マス本体１０にはその内部にインバート部１１が設けられており、上流側の排水本管３から受け入れた排水を、インバート部１１を介して下流側の排水本管４に接続して流下させる。
前記一対の本管接続部２０、２０は、それぞれ排水本管３、４と接続するために設けられたものである。一対の本管接続部２０、２０は、マス本体１０の側部において、相互に１８０度反対位置にあってそれぞれ突出した状態に構成されている。即ち、一対の本管接続部２０、２０は同一中心軸Ｘ（図５参照）上にあって、相互に反対方向にマス本体１０の側部から突出する形で設けられている。
一対の本管接続部２０、２０は前記マス本体１０のインバート部１１の両端にそれぞれ接続する。これによって排水の本流、即ち排水本流が、上流側の排水本管３から本管接続部２０、マス本体１０のインバート部１１、他方の本管接続部２０を経て下流側の排水本管４へと流れる。
【００１３】
前記枝管接続部３０は、マス本体１０の側部のうち、前記一対の本管接続部２０、２０の丁度中間位置に設けられる。そして枝管接続部３０の基端側でマス本体１０のインバート部１１の途中に側方から接続し、また先端側で排水枝管５と接続する。これによって、排水の支流、即ち排水支流が、排水枝管５から枝管接続部３０を経てマス本体１０のインバート部１１に合流し、更に下流側の本管接続部２０を経て下流側の排水本管４へと流れる。
【００１４】
前記点検筒受筒部４０は、前記マス本体１０の上部に上向きに一体に突出して設けられている。この点検筒受筒部４０はマス本体１０のインバート部１１に上方から接続して、点検筒２を取り付けたときに、点検筒３を介して上方からインバート部１１が見えるようにしている。点検筒受筒部４０はその中心軸Ｚが前記一対の本管接続部２０、２０の中心軸Ｘと同一面上にあり且つ直角に交わるようにされている。別の言い方をすれば、点検筒受筒部４０はマス本体１０の丁度中央の真上の位置に設けられる。勿論、この点検筒受筒部４０はマス本体１０の真上の位置からから少しずれた位置（本管接続部２０の中心軸Ｘからずれた位置）にあっても可能である。
点検筒受筒部４０の筒外径Ｄは、前記マス本体１０の幅Ｗ（より詳しくはマス本体１０の前記本管接続部２０の中心軸Ｘに対する直角方向の寸法幅Ｗ）よりも大径にしている（図４参照）。これによって、マス本体１０の側部のうち前記枝管接続部３０が設けられる側部１２ａ（図４参照）は、その上方にある点検筒受筒部４０に対して（Ｄ−Ｗ）／２の寸法だけ内側へ奥まった状態となる。
【００１５】
枝管接続部３０は、嵌合用環状雌部３１と該嵌合用環状雌部３１に直接的に且つ回動自在に嵌合されるエルボ状管３２から構成される。
前記嵌合用環状雌部３１は、その中心軸Ｙ（図４、図５、図７参照）と前記点検用受筒部４０の中心軸Ｚとを含む平面が、前記一対の本管接続部２０、２０の中心軸Ｘと点検筒受筒部４０の中心軸Ｚとを含む平面に対して直角となるようにして構成している。これによって、鉛直状態に配した点検筒受筒部４０の中心軸Ｚを中心にして１８０度回転させると、嵌合用環状雌部３１の位置が、本管接続部２０、２０の中心軸Ｘを基準にして左右対称の位置にくる。従ってこの排水マス１の場合、本管接続部２０、２０に対して左右の何れの側にある排水枝管５とも接続することができる。
嵌合用環状雌部３１は、該嵌合用環状雌部３１を構成する環状壁の上辺部分３１ａを、前記点検筒受筒部４０の下側部を利用して構成している。即ち、点検筒受筒部４０の下側部を内側に凹ませてなる内向き段部４１に構成し、これを嵌合用環状雌部３１の一部にしている。
前記該嵌合用環状雌部３１の前記上辺部分３１ａを除く環状壁の残りの部分は、マス本体１０の側部１２ａから突出して構成している。この場合において、マス本体１０の側部１２ａからの突出寸法は点検筒受筒部４０の径を超えないように、即ち点検筒受筒部４０よりも側方に出っ張らないようにしている。
【００１６】
またエルボ状管３２は、先端開口部３２ａから湾曲部３２ｂを経て、その曲率半径を増大させるように滑らかに拡管しながら基端開口部３２ｃに至る構成としている。より具体的には、エルボ状管３２の基端開口部３２ｃの径を排水本管３、４と同じ径として、例えば直径１００ｍｍとし、先端開口部３２ａの径を直径７５ｍｍとすることができる。先端開口部３２ａ側の半部は同径で、残りの半部（湾曲部３２ｂの半ば以下）は基端開口部３２ｃまで徐々に拡径する。
エルボ状管３２の基端開口部３２ｃの径の上限を排水本管３、４の径とした理由は、枝管接続部３０の位置が高くならないようにするためである。枝管接続部３０の位置があまり高くなると、低い位置での排水枝管５の接続ができず、排水枝管５のその先での配管に制約が生じる。
前記先端開口部３２ａは嵌合用環状雌部３１の中心軸Ｙに対して直角方向に開口する。
また前記湾曲部３２ｂは、湾曲の外側部、即ち内部を流れる排水がその勢いで当りやすい外側部の曲率半径を滑らかに増大することで、屈曲部における排水の流れの乱流化を防止すると共に、流路拡大による屈曲部での実質的な流路面積を確保して、スムーズな排水の流れを確保する機能を果たす。
【００１７】
前記エルボ状管３２は、その基端開口部３２ａの外周に嵌合用環状雄部３２ｄが構成され、該嵌合用環状雄部３２ｄが前記嵌合用環状雌部３１に直接的に且つ回動自在に嵌合されるようにしている。前記嵌合はＯリング３３等により水密に嵌合されると共に、簡単に脱落しないように抜け止め手段等が施されている。
エルボ状管３２が、前記点検筒受筒部４０の外径よりも内方へ奥まった位置に構成される嵌合用環状雌部３１に対して、直接的に内嵌合されるように構成したことで、枝管接続部３０の側方への突出寸法を最小限に抑えることが可能となり、排水枝管５との接続を狭い接続間隙において行うことが可能となる。
上記のように、点検筒受筒部４０の下側部を利用して、嵌合用環状雌部３１を構成することで、枝管接続部３０の取り付けスペースを稼ぐことができ、本管接続部２０の中心軸Ｘから側方にずらさなくても、枝管接続部３０の取り付けスペースを確保することが可能となった。よって点検筒受筒部４０の位置（点検筒２の位置）を、中心軸Ｘの真上に配置することができ、排水マス１の左右対称性を保つことが可能となり、排水枝管５の取り付けにおいて左右兼用の排水マス１の提供を確保した。
【００１８】
図２〜図７はエルボ状管３２を上向き位置に回動配置した状態を示す。これに対して図８はエルボ状管３２を横向き位置（水平位置）に回動配置した状態を示す。エルボ状管３２は排水枝管５との接続に適した角度に回動調節することができる。
【００１９】
前記マス本体１０のインバート部１１のうち、枝管接続部３０が接続されるインバート部分１１ａ（図７参照）の底は、接続部からインバート部分１１ａの中心に向けて多少の勾配をつけ、枝管接続部３０に設けられた勾配に滑らかに接続している。これによって排水枝管５から枝管接続部３０を通ってマス本体１０のインバート部分１１ａの中心に向けての排水のスムーズな流れを確保して、排水本流との合流を行わせている。
【００２０】
図９は排水マスの変形例を示す正面図である。この変形例では、本管接続部２０のうち、上流側の排水本管３と接続する上流用本管接続部２０ａと下流側の排水本管４と接続する下流用本管接続部２０ｂとで、段差をつけている。即ち、上流用本管接続部２０ａと下流用本管接続部２０ｂとで、高さを変えるようにすることで、排水マス１を介して上流からの排水を下流側へスムーズに流れるようにすると共に、逆流防止を確実にしたものである。上流用本管接続部２０ａと下流用本管接続部２０ｂとで段差をつける場合には、マス本体１０のインバート部１１において、その途中で段差ないし勾配をつける。
その他の構成は、上記図２〜図８で示した排水マスの構成と同じである。
上流用本管接続部２０ａと下流用本管接続部２０ｂとで段差をつけた場合には、排水マス１の対称性が崩れ、排水枝管５を左右の位置で兼用して取り付けることはできない。
【図面の簡単な説明】
【００２１】
【図１】本発明の実施形態に係る排水マスの使用状態を示す斜視図である。
【図２】本実施形態に係る排水マスの斜視図である。
【図３】本実施形態に係る排水マスの正面図である。
【図４】本実施形態に係る排水マスの左側面図である。
【図５】本実施形態に係る排水マスの平面図である。
【図６】エルボ状管を水平方向に回動させた状態での排水マスの平面図である。
【図７】図３のＡ−Ａ断面図である。
【図８】図３のＢ−Ｂ断面図である。
【図９】変形例を示す排水マスの正面図である。
【符号の説明】
【００２２】
１        排水マス
２        点検筒
３        排水本管
４        排水本管
５        排水枝管
１０      マス本体
１１      インバート部
１２ａ    枝管接続部が設けられる側部
２０      本管接続部
２０ａ    上流用本管接続部
２０ｂ    下流用本管接続部
３０      枝管接続部
３１      嵌合用環状雌部
３１ａ    上辺部分
３２      エルボ状管
３２ａ    先端開口部
３２ｂ    湾曲部
３２ｃ    基端開口部
３２ｄ    嵌合用環状雄部
３３      Ｏリング
４０      点検筒受筒部
４１      内向き段部
Ｘ        本管接続部の中心軸
Ｙ        嵌合用環状雌部の中心軸
Ｚ        点検筒受筒部の中心軸
Ｄ        点検筒受筒部の筒外径
Ｗ        マス本体の幅
【図１】
2007186847.tif 000003
【図２】
2007186847.tif 000004
【図３】
2007186847.tif 000005
【図４】
2007186847.tif 000006
【図５】
2007186847.tif 000007
【図６】
2007186847.tif 000008
【図７】
2007186847.tif 000009
【図８】
2007186847.tif 000010
【図９】
2007186847.tif 000011